(57)【要約】【課題】複数のアンテナ間の電波干渉を抑制することができ、通信性能を向上させることができるアンテナ装置を提供すること。【解決手段】電子機器１００において、第１領域１１２Ａのアンテナ１２０は第４領域１１２Ｄのアンテナ１２６の前後方向に沿った中心よりも前後方向に沿って前側に配置され、第２領域１１２Ｂのアンテナ１２２はアンテナ１２０の左右方向に沿った中心よりも左右方向に沿って左側に配置され、第３領域１１２Ｃのアンテナ１２４はアンテナ１２２の前後方向に沿った中心よりも前後方向に沿って後側に配置され、アンテナ１２６はアンテナ１２４の左右方向に沿った中心よりも左右方向に沿って右側に配置されている。【選択図】図１
2020108028.tif 000002
【特許請求の範囲】
【請求項１】
第１領域と、前記第１領域の後側に位置する第２領域と、前記第２領域の右側に位置する第３領域と、前記第３領域の前側であって前記第１領域の右側に位置する第４領域とを有するアンテナ配置領域と、
前記第１領域において左右方向に延設されて電波を放射する第１アンテナと、
前記第２領域において前後方向に延設されて電波を放射する第２アンテナと、
前記第３領域において左右方向に延設されて電波を放射する第３アンテナと、
前記第４領域において前後方向に延設されて電波を放射する第４アンテナと、
を備え、前記第１〜第４アンテナは、共通の第１動作周波数帯域を有し、
前記第１アンテナは、前後方向に沿った前記第４アンテナの中心よりも、前後方向に沿って前側に配置され、
前記第２アンテナは、左右方向に沿った前記第１アンテナの中心よりも、左右方向に沿って左側に配置され、
前記第３アンテナは、前後方向に沿った前記第２アンテナの中心よりも、前後方向に沿って後側に配置され、
前記第４アンテナは、左右方向に沿った前記第３アンテナの中心よりも、左右方向に沿って右側に配置されていることを特徴とするアンテナ装置。
【請求項２】
前記第１動作周波数帯域とは異なる第２周波数帯域を有する第５アンテナおよび第６アンテナをさらに備え、
前記第５アンテナは、前記アンテナ配置領域の外周の第１の辺の一方端に配置され、
前記第６アンテナは、前記第１の辺の他方端に配置されていることを特徴とする請求項１に記載のアンテナ装置。
【請求項３】
前記第２周波数帯域を有する第７アンテナをさらに備え、
前記第７アンテナは、前記アンテナ配置領域の外周であって前記第１の辺と対向する第２の辺に沿って配置されていることを特徴とする請求項２に記載のアンテナ装置。
【請求項４】
前記第７アンテナは、前記第２の辺の中間位置に配置されていることを特徴とする請求項３に記載のアンテナ装置。
【請求項５】
第７アンテナおよび第８アンテナをさらに備え、
前記第７アンテナは、前記アンテナ配置領域の外周であって前記第１の辺と対向する第２の辺の一方端に配置され、
前記第８アンテナは、前記第２の辺の他方端に配置されていることを特徴とする請求項２に記載のアンテナ装置。
【請求項６】
前記アンテナ配置領域に対して垂直方向に延設され、前記アンテナ配置領域内であって前記第５アンテナと前記第６アンテナのそれぞれから等距離の位置に配置された第１モノポールアンテナをさらに備えることを特徴とする請求項２〜５のいずれか一項に記載のアンテナ装置。
【請求項７】
前記アンテナ配置領域は、一対の長辺と一対の短辺からなる長方形形状を有し、
前記第１の辺は、前記一対の長辺の一方であることを特徴とする請求項２〜６のいずれか一項に記載のアンテナ装置。
【請求項８】
前記アンテナ配置領域は、一対の長辺と一対の短辺からなる長方形形状を有し、
前記長辺あるいは短辺に沿って端部から時計回り方向に所定距離の位置に配置されて右旋円偏波信号を受信する第２モノポールアンテナをさらに備えることを特徴とする請求項１〜６のいずれか一項に記載のアンテナ装置。
【請求項９】
前記第２モノポールアンテナは、前記長辺に沿って配置されていることを特徴とする請求項８に記載のアンテナ装置。
【請求項１０】
前記第１アンテナ、前記第２アンテナ、前記第３アンテナ、前記第４アンテナは、モノポールアンテナであることを特徴とする請求項１〜９のいずれか一項に記載のアンテナ装置。
【請求項１１】
前記第１アンテナ、前記第２アンテナ、前記第３アンテナ、前記第４アンテナは、ワイヤレスＷＡＮの４×４ＭＩＭＯ方式のアンテナ素子として用いられることを特徴とする請求項１〜１０のいずれか一項に記載のアンテナ装置。
【請求項１２】
前記第１動作周波数帯域には、互いに周波数が異なる複数の周波数帯域グループが含まれており、それぞれの周波数帯域グループに別々のアンテナ素子が対応していることを特徴とする請求項１〜１１のいずれか一項に記載のアンテナ装置。
【請求項１３】
前記第５アンテナおよび前記第６アンテナは、ワイヤレスＬＡＮの２×２ＭＩＭＯ方式のアンテナ素子として用いられることを特徴とする請求項２〜５のいずれか一項に記載のアンテナ装置。
【請求項１４】
前記第７アンテナは、ＢＬＥ（Bluetooth Low Energy）のアンテナ素子として用いられることを特徴とする請求項３または４に記載のアンテナ装置。
【請求項１５】
前記第２モノポールアンテナは、ＧＮＳＳ（Global Navigation Satellite System）のアンテナ素子として用いられることを特徴とする請求項６に記載のアンテナ装置。
【請求項１６】
前記第１モノポールアンテナは、Ｖ２Ｘ（vehicle to X）用のアンテナ素子として用いられることを特徴とする請求項８または９に記載のアンテナ装置。
【発明の詳細な説明】
【技術分野】
【０００１】
本発明は、複数のアンテナが備わったアンテナ装置に関する。
【背景技術】
【０００２】
従来から、４×４ＭＩＭＯ（Multiple-Input Multiple-Output）方式で通信を行うために４つのアンテナ素子を一つの基板上に配置したモジュールが知られている（例えば、特許文献１参照。）。このモジュールには、４つの送信アンテナ素子４ａ〜４ｄと４つの受信アンテナ素子５ａ〜５ｄが備わっており、各送信アンテナ素子４ａ〜４ｄにはダイポールアンテナが用いられている。
【先行技術文献】
【特許文献】
【０００３】
【特許文献１】特開２０１８−１２９６２３号公報
【発明の概要】
【発明が解決しようとする課題】
【０００４】
ところで、上述した特許文献１に開示されたモジュールでは、例えば３つの送信アンテナ素子４ａ〜４ｃを構成する導体（エレメント）が互いに平行になるように基板の一辺に沿って配置されており、基板を小型化したり電波の送信出力を増加した場合に各アンテナ素子の電波干渉が生じて通信性能が低下するおそれがあるという問題があった。
【０００５】
本発明は、このような点に鑑みて創作されたものであり、その目的は、複数のアンテナ間の電波干渉を抑制することができ、通信性能を向上させることができるアンテナ装置を提供することにある。
【課題を解決するための手段】
【０００６】
上述した課題を解決するために、本発明のアンテナ装置は、第１領域と、第１領域の後側に位置する第２領域と、第２領域の右側に位置する第３領域と、第３領域の前側であって第１領域の右側に位置する第４領域とを有するアンテナ配置領域と、第１領域において左右方向に延設されて電波を放射する第１アンテナと、第２領域において前後方向に延設されて電波を放射する第２アンテナと、第３領域において左右方向に延設されて電波を放射する第３アンテナと、第４領域において前後方向に延設されて電波を放射する第４アンテナとを備えている。第１〜第４アンテナは、共通の第１動作周波数帯域を有し、第１アンテナは、前後方向に沿った第４アンテナの中心よりも、前後方向に沿って前側に配置されている。第２アンテナは、左右方向に沿った第１アンテナの中心よりも、左右方向に沿って左側に配置されている。第３アンテナは、前後方向に沿った第２アンテナの中心よりも、前後方向に沿って後側に配置されている。第４アンテナは、左右方向に沿った第３アンテナの中心よりも、左右方向に沿って右側に配置されている。
【０００７】
このように４つのアンテナを配置することにより、それぞれのアンテナの放射方向が他のアンテナに重ならないようにすることができるため、これら４つのアンテナ間の電波干渉を抑制して、これら４つのアンテナを用いて通信を行う場合の通信性能を向上させることが可能となる。
【０００８】
また、上述した第１動作周波数帯域とは異なる第２の周波数帯域を有する第５アンテナおよび第６アンテナをさらに備え、第５アンテナは、アンテナ配置領域の外周の第１の辺の一方端に配置され、第６アンテナは、第１の辺の他方端に配置されていることが望ましい。これにより、４つのアンテナ（第１アンテナ〜第４アンテナ）に２つのアンテナ（第５アンテナ、第６アンテナ）を加える場合に、これら２つのアンテナを離して配置することができ、これら２つのアンテナ間の電波干渉を抑制して、これら２つのアンテナを用いて通信を行う場合の通信性能を向上させることが可能となる。
【０００９】
また、上述した第２周波数帯域を有する第７アンテナをさらに備え、第７アンテナは、アンテナ配置領域の外周であって第１の辺と対向する第２の辺に沿って配置されていることが望ましい。これにより、２つのアンテナ（第５アンテナ、第６アンテナ）と第７アンテナを離して配置することができ、これらのアンテナ間の電波干渉を抑制して、これらのアンテナを用いて通信を行う場合の通信性能を向上させることが可能となる。
【００１０】
また、上述した第７アンテナは、第２の辺の中間位置に配置されていることが望ましい。これにより、第７アンテナを第５アンテナ、第６アンテナの両方から離すことができ、第７アンテナと第５アンテナの間の電波干渉を抑制するとともに、第７アンテナと第６アンテナの間の電波干渉を抑制することが可能となる。
【００１１】
また、第７アンテナおよび第８アンテナをさらに備え、第７アンテナは、アンテナ配置領域の外周であって第１の辺と対向する第２の辺の一方端に配置され、第８アンテナは、第２の辺の他方端に配置されていることが望ましい。これにより、２つのアンテナ（第５アンテナ、第６アンテナ）と第７アンテナ、第８アンテナを離して配置することができ、これらのアンテナ間の電波干渉を抑制して、これらのアンテナを用いて通信を行う場合の通信性能を向上させることが可能となる。
【００１２】
また、上述したアンテナ配置領域に対して垂直方向に延設され、アンテナ配置領域内であって第５アンテナと第６アンテナのそれぞれから等距離の位置に配置された第１モノポールアンテナをさらに備えることが望ましい。このように第１モノポールアンテナを第５アンテナと第６アンテナの両方から離して配置することにより、第５アンテナおよび第６アンテナと第１モノポールアンテナとの間の電波干渉を抑制することができる。
【００１３】
また、上述したアンテナ配置領域は、一対の長辺と一対の短辺からなる長方形形状を有し、第１の辺は、一対の長辺の一方であることが望ましい。このように第５アンテナと第６アンテナを長辺の両端に離して配置することにより、第５アンテナと第６アンテナとの間の電波干渉を抑制することができる。
【００１４】
また、上述したアンテナ配置領域は、一対の長辺と一対の短辺からなる長方形形状を有し、長辺あるいは短辺に沿って端部から時計回り方向に所定距離の位置に配置されて右旋円偏波信号を受信する第２モノポールアンテナをさらに備えることが望ましい。このような配置とすることにより、第２モノポールアンテナによって効率よく右旋円偏波信号を受信することができる。
【００１５】
また、上述した第２モノポールアンテナは、長辺に沿って配置されていることが望ましい。このように第２モノポールアンテナを長辺の端部から所定距離の位置に配置することにより、短辺に沿って配置する場合に比べて信号の受信効率をさらに上げることができる。
【００１６】
また、上述した第１アンテナ、前記第２アンテナ、前記第３アンテナ、前記第４アンテナは、モノポールアンテナであることが望ましい。
【００１７】
また、上述した第１アンテナ、第２アンテナ、第３アンテナ、第４アンテナは、ワイヤレスＷＡＮの４×４ＭＩＭＯ方式のアンテナ素子として用いられることが望ましい。
【００１８】
また、上述した第１動作周波数帯域には、互いに周波数が異なる複数の周波数帯域グループが含まれており、それぞれの周波数帯域グループに別々のアンテナ素子が対応していることが望ましい。
【００１９】
また、上述した第５アンテナおよび第６アンテナは、ワイヤレスＬＡＮの２×２ＭＩＭＯ方式のアンテナ素子として用いられることが望ましい。
【００２０】
また、上述した第７アンテナは、ＢＬＥ（Bluetooth Low Energy）のアンテナ素子として用いられることが望ましい。
【００２１】
また、上述した第２モノポールアンテナは、ＧＮＳＳ（Global Navigation Satellite System）のアンテナ素子として用いられることが望ましい。
【００２２】
また、上述した第１モノポールアンテナは、Ｖ２Ｘ（vehicle to X）用のアンテナ素子として用いられることが望ましい。
【図面の簡単な説明】
【００２３】
【図１】第１の実施形態の電子機器の概要を示す平面図である。
【図２】第２の実施形態の電子機器の概要を示す平面図である。
【図３】第３の実施形態の電子機器の概要を示す平面図である。
【図４】変形例の電子機器の概要を示す平面図である。
【図５】他の変形例の電子機器の概要を示す平面図である。
【図６】他の変形例の電子機器の概要を示す平面図である。
【図７】他の変形例の電子機器の概要を示す平面図である。
【発明を実施するための形態】
【００２４】
以下、本発明のアンテナ装置を適用した一実施形態の電子機器について、図面を参照しながら説明する。
【００２５】
（第１の実施形態）
図１は、第１の実施形態の電子機器の概要を示す平面図である。この電子機器は、例えば、小型化されて車両に搭載されることを想定しているが、車両以外の屋内外で使用されるものであってもよい。この点は、他の実施形態についても同様である。
【００２６】
本実施形態の電子機器１００は、基板１１０と、４つのアンテナ１２０、１２２、１２４、１２６と、通信回路１５０とを備えている。
【００２７】
基板１１０は、例えば長方形形状を有しており、誘電体層の表面あるいは内部に各部品間を接続する配線層やグランド層が形成されている。基板１１０は、横長の長方形形状を２行２列に４分割されたアンテナ配置領域１１２を有している。図１に示すように、基板１１０の全体がアンテナ配置領域１１２に対応している。
【００２８】
このアンテナ配置領域１１２には、左下の１／４（アンテナ配置領域１１２を上下に２等分する線をＸ軸、左右に２等分する線をＹ軸とした場合の第３象限）の第１領域１１２Ａと、左上の１／４（第２象限）の第２領域１１２Ｂと、右上の１／４（第１象限）の第３領域１１２Ｃと、右下の１／４（第４象限）の第４領域１１２Ｄとが含まれている。
【００２９】
４つのアンテナ１２０、１２２、１２４、１２６は、ワイヤレスＷＡＮ（Wide Area Network）で４×４ＭＩＭＯ（Multiple-Input Multiple-Output）方式で通信を行うためのアンテナ素子（エレメント）であり、共通の同一周波数帯域を動作周波数帯域（第１動作周波数帯域）として電波の送受信を行う。
【００３０】
アンテナ１２０（第１アンテナ）は、第１領域１１２Ａにおいて左右方向に沿って延設されたモノポールアンテナであり、延在方向に対して垂直な向きに電波を放射する。図１では、アンテナ１２０の電波の放射パターン１２０ａが示されているが、実際にはこの放射パターン１２０ａをアンテナ１２０の長手方向を回転軸にして回転させたドーナツ状に電波が放射される。
【００３１】
なお、電波の送信動作と受信動作が共通のアンテナ素子を用いて行われる場合を想定しているが、送信用アンテナ素子と受信用アンテナ素子を接近して配置するようにしてもよい。また、各アンテナの動作周波数帯域には、以下に示す３つの周波数帯域ＬＢ、ＭＢ、ＨＢが含まれている。
・ＬＢ：６１９〜９６０ＭＨｚ
・ＭＢ：１４２７．９〜２６９０ＭＨｚ
・ＨＢ：３３００〜５０００ＭＨｚ
これら３つの周波数帯域は広いため、アンテナ１２０を２つあるいは３つのアンテナ素子で構成するようにしてもよい。これにより、３つの周波数帯域毎に電波の送受信効率を向上させた形状のアンテナ素子を用いることが可能となる。これらの変形態様は、他のアンテナ１２２、１２４、１２６についても同様である。
【００３２】
同様に、アンテナ１２２（第２アンテナ）は、第２領域１１２Ｂにおいて前後方向（図１の上下方向）に沿って延設されたモノポールアンテナであり、延在方向に対して垂直な向きに電波を放射する。図１では、アンテナ１２２の電波の放射パターン１２２ａが示されているが、実際にはこの放射パターン１２２ａをアンテナ１２２の長手方向を回転軸にして回転させたドーナツ状に電波が放射される。
【００３３】
アンテナ１２４（第３アンテナ）は、第３領域１１２Ｃにおいて左右方向に沿って延設されたモノポールアンテナであり、延在方向に対して垂直な向きに電波を放射する。図１では、アンテナ１２４の電波の放射パターン１２４ａが示されているが、実際にはこの放射パターン１２４ａをアンテナ１２４の長手方向を回転軸にして回転させたドーナツ状に電波が放射される。
【００３４】
アンテナ１２６（第４アンテナ）は、第４領域１１２Ｄにおいて前後方向（図１の上下方向）に沿って延設されたモノポールアンテナであり、延在方向に対して垂直な向きに電波を放射する。図１では、アンテナ１２６の電波の放射パターン１２６ａが示されているが、実際にはこの放射パターン１２６ａをアンテナ１２６の長手方向を回転軸にして回転させたドーナツ状に電波が放射される。
【００３５】
上述したアンテナ１２０は、アンテナ１２６の前後方向に沿った中心（この位置が中心線１２６ｂで示されている）よりも前側（図１の下側）であって基板１１０の縁（長方形形状の下辺）に沿った位置に配置されている。
【００３６】
また、アンテナ１２２は、アンテナ１２０の左右方向に沿った中心（この位置が中心線１２２ｂで示されている）よりも左側であって基板１１０の縁（長方形形状の左辺）に沿った位置に配置されている。
【００３７】
アンテナ１２４は、アンテナ１２２の前後方向に沿った中心（この位置が中心線１２２ｂで示されている）よりも後側（図１の上側）であって基板１１０の縁（長方形形状の上辺）に沿った位置に配置されている。
【００３８】
アンテナ１２６は、アンテナ１２４の左右方向に沿った中心（この位置が中心線１２４ｂで示されている）よりも右側であって基板１１０の縁（長方形形状の右辺）に沿った位置に配置されている。
【００３９】
また、通信回路１５０は、アンテナ１２０、１２２、１２４、１２６のそれぞれを介して信号の送信処理および受信処理を行う。なお、図１では、基板１１０のほぼ中央に通信回路１５０を配置したが、これ以外の位置に通信回路１５０を配置するようにしてもよい。
【００４０】
このように、本実施形態の電子機器１００では、４つのアンテナ１２０、１２２、１２４、１２６を互いの位置が隣接するアンテナの放射パターンの中心線からずれるように配置することにより、それぞれのアンテナの放射方向が他のアンテナに重ならないようにすることができるため、これら４つのアンテナ１２０、１２２、１２４、１２６間の電波干渉を抑制して、これら４つのアンテナ１２０、１２２、１２４、１２６を用いて通信を行う場合の通信性能を向上させることが可能となる。
【００４１】
（第２の実施形態）
図２は、第２の実施形態の電子機器の概要を示す平面図である。本実施形態の電子機器２００は、図１に示した電子機器１００に対して、３つのアンテナ１３０、１３２、１３４を追加した点が異なっている。以下では、これらの追加したアンテナ１３０、１３２、１３４に着目して説明する。
【００４２】
２つのアンテナ１３０、１３２は、ワイヤレスＬＡＮ（Local Area Network）で２×２ＭＩＭＯ方式で通信を行うためのアンテナ素子（エレメント）であり、共通の同一周波数帯域を動作周波数帯域（第１動作周波数帯域と異なる第２動作周波数帯域）として電波の送受信を行う。この動作周波数帯域には、２４００〜２４８０ＭＨｚと５１５０〜５８５０ＭＨｚの２つの周波数帯域が含まれている。
【００４３】
また、アンテナ１３４は、ＢＬＥ（Bluetooth（登録商標） Low Energy）の通信を行うためのアンテナ素子である。このＢＬＥの動作周波数帯域は２４００〜２４８０ＭＨｚであって、上述したワイヤレスＬＡＮの２つの周波数帯域の一方と重複している。
【００４４】
アンテナ１３０（第５アンテナ）は、長方形形状を有するアンテナ配置領域１１２の外周の上辺（第１の辺）の一方端（左端）に配置され、この上辺に沿って延設されたモノポールアンテナであり、延在方向に対して垂直な向きに電波を放射する。図２では、アンテナ１３０の電波の放射パターン１３０ａが示されているが、実際にはこの放射パターン１３０ａをアンテナ１３０の長手方向を回転軸にして回転させたドーナツ状に電波が放射される。
【００４５】
また、アンテナ１３２（第６アンテナ）は、長方形形状を有するアンテナ配置領域１１２の外周の上辺（第１の辺）の他方端（右端）に配置され、この上辺に沿って延設されたモノポールアンテナであり、延在方向に対して垂直な向きに電波を放射する。図２では、アンテナ１３２の電波の放射パターン１３２ａが示されているが、実際にはこの放射パターン１３２ａをアンテナ１３２の長手方向を回転軸にして回転させたドーナツ状に電波が放射される。
【００４６】
アンテナ１３４（第７アンテナ）は、長方形形状を有するアンテナ配置領域１１２の周辺であって上辺（第１の辺）に対向する下辺（第２の辺）の中間位置（中央位置が望ましいが、中央位置からずれてもよい）に配置され、この下辺に沿って延設されたモノポールアンテナであり、延在方向に対して垂直な向きに電波を放射する。図２では、アンテナ１３４の電波の放射パターン１３４ａが示されているが、実際にはこの放射パターン１３４ａをアンテナ１３４の長手方向を回転軸にして回転させたドーナツ状に電波が放射される。
【００４７】
なお、これらのアンテナ１３０、１３２、１３４のそれぞれを介した信号の送信処理や受信処理は、通信回路１５０によって行うようにしてもよいが、他の通信回路（図示せず）によって行うようしてもよい。
【００４８】
このように、本実施形態の電子機器２００では、ワイヤレスＷＡＮ用の４つのアンテナ１２０〜１２６に加えてワイヤレスＬＡＮ用の２つのアンテナ１３０、１３２をアンテナ配置領域１１２の上辺（長辺）の両端に離して配置しており、これら２つのアンテナ１３０、１３２間の電波干渉を抑制して、これら２つのアンテナ１３０、１３２を用いて通信を行う場合の通信性能を向上させることが可能となる。
【００４９】
また、これら２つのアンテナ１３０、１３２とともにＢＬＥ用のアンテナ１３４をアンテナ配置領域１１２の下辺に沿って配置することにより、互いに動作周波数帯域が重複するアンテナ１３０、１３２とアンテナ１３４との間の電波干渉を抑制して、これらのアンテナを用いて通信を行う場合の通信性能を向上させることが可能となる。特に、下辺の中間位置にアンテナ１３４を配置することで、アンテナ１３４をアンテナ１３０、１３２の両方から離すことができ、アンテナ１３４とアンテナ１３０の間の電波干渉を抑制するとともに、アンテナ１３４とアンテナ１３２の間の電波干渉を抑制することが可能となる。
【００５０】
（第３の実施形態）
図３は、第３の実施形態の電子機器の概要を示す平面図である。本実施形態の電子機器３００は、図２に示した電子機器２００に対して、２種類のモノポールアンテナ１４０、１４２を追加した点が異なっている。以下では、これらの追加したアンテナ１４０、１４２に着目して説明する。
【００５１】
一方のモノポールアンテナ１４０（第１のモノポールアンテナ）は、Ｖ２Ｘ（vehicle to X）用のアンテナ素子である。このアンテナ１４０の動作周波数帯域は、５８５０〜５９５０ＭＨｚであり、垂直偏波に対して最適な電波の送受信が可能となるように、アンテナ配置領域１１２の表面（あるいは裏面）に対して垂直方向に延設されている。
【００５２】
また、このモノポールアンテナ１４０は、例えばワイヤレスＬＡＮ用のアンテナ１３０、１３２との干渉を避けるために、アンテナ配置領域１１２内であってこれらのアンテナ１３０、１３２から等距離の位置に配置されている。
【００５３】
このように、モノポールアンテナ１４０をアンテナ１３０、１３２のそれぞれから等距離の位置に離して配置することにより、動作周波数帯域の一部が接近しているアンテナ１３０、１３２とモノポールアンテナ１４０との間の電波干渉を抑制することができる。
【００５４】
また、他方のモノポールアンテナ１４２（第２のモノポールアンテナ）は、ＧＮＳＳ（Global Navigation Satellite System）のアンテナ素子である。ＧＮＳＳでは右旋円偏波の信号が用いられており、この信号を効率よく受信するために、長方形形状を有するアンテナ配置領域１１２の一方の長辺である上辺に沿って端部（左端）から時計回り方向に所定距離の位置に配置されている。この所定距離は、受信する電波の周波数に対応して決定される。例えば、１５５９〜１６１０ＭＨｚの電波を受信することを想定しており、この場合にはこの所定距離は、左端から２８〜３０ｍｍ程度に設定される。なお、製品形状や寸法、周辺部品の配置状況等によって、受信性能が最適な位置へスライドすることも可能である。
【００５５】
若干受信効率は低下するが、アンテナ配置領域１１２の外周の短辺に沿ってその端部から時計回り方向に所定距離の位置にアンテナ１４２を配置してもよい。
【００５６】
また、これらのモノポールアンテナ１４０、１４２のそれぞれを介した信号の送信処理や受信処理は、通信回路１５０によって行うようにしてもよいが、他の通信回路（図示せず）によって行うようしてもよい。
【００５７】
なお、本発明は上記実施形態に限定されるものではなく、本発明の要旨の範囲内において種々の変形実施が可能である。例えば、上述した第２の実施形態では、ワイヤレスＬＡＮ用のアンテナ１３０、１３２とＢＬＥ用のアンテナ１３４の両方を備える電子機器２００について説明したが、ワイヤレスＬＡＮ用のアンテナ１３０、１３２のみが備わっている場合や、ＢＬＥ用のアンテナ１３４のみが備わっている場合にも本発明を適用することができる。
【００５８】
また、上述した第３の実施形態では、ワイヤレスＬＡＮ用のアンテナ１３０、１３２とＢＬＥ用のアンテナ１３４とＶ２Ｘ用のモノポールアンテナ１４０とＧＮＳＳ用のモノポールアンテナ１４２が備わっている電子機器３００について説明したが、これらのアンテナの一部を備える場合にも本発明を適用することができる。
【００５９】
また、上述した第２の実施形態では、ＢＬＥ用のアンテナ１３４をアンテナ配置領域１１２の下辺の中間位置に配置したが、図４に示すように、下辺の端部に配置するようにしてもよい。また、上述した第２の実施形態では、ワイヤレスＬＡＮ用のアンテナ１３０、１３２の延在方向を上辺に沿った向きとしたが、上辺に沿った向きからずらすようにしてもよい。図５に示す例では、電波の放射パターンの中心線がアンテナ配置領域１１２の中心位置近傍に向かうようにアンテナ１３０、１３２が延在する向きが設定されている。これらの変形例については、第３の実施形態についても同様である。
【００６０】
また、上述した第２の実施形態では、ワイヤレスＬＡＮ用の２つのアンテナ１３０、１３２とＢＬＥ用の１つのアンテナ１３４を図１に示した構成に追加する場合を説明したが、これら３つのアンテナ１３０、１３２、１３４にさらに１つのアンテナ１３６を追加するようにしてもい。この場合には、図６に示すように、アンテナ１３４とアンテナ１３６をアンテナ配置領域１１２の下辺の両端に配置したり、図７に示すように、さらにこれら４つのアンテナ１３０、１３２、１３４、１３６が延在する向きを変更する変形例などが考えられる。これらの変形例については、第３の実施形態についても同様である。
【産業上の利用可能性】
【００６１】
上述したように、本発明によれば、アンテナ配置領域の４つの領域の所定位置に４つのアンテナを配置することにより、それぞれのアンテナの放射方向が他のアンテナに重ならないようにすることができるため、これら４つのアンテナ間の電波干渉を抑制して、これら４つのアンテナを用いて通信を行う場合の通信性能を向上させることが可能となる。
【符号の説明】
【００６２】
１００、２００、３００  電子機器
１１０  基板
１１２  アンテナ配置領域
１２０、１２２、１２４、１２６、１３０、１３２、１３４  アンテナ
１４０、１４２  モノポールアンテナ
１５０  通信回路
【図１】
2020108028.tif 000003
【図２】
2020108028.tif 000004
【図３】
2020108028.tif 000005
【図４】
2020108028.tif 000006
【図５】
2020108028.tif 000007
【図６】
2020108028.tif 000008
【図７】
2020108028.tif 000009